(57)【要約】【課題】  本発明は、偏向走査手段の回転が高速化しても画像品質を維持できる走査光学装置を提供する。【解決手段】  光源７と、スキャナモータ９と、走査レンズ３，４と、を内包するハウジング部材２と、ハウジング部材２に回転可能に軸支され、スキャナモータ９の回転中心軸部９ｂを保持する中間部材６と、を有し、該中間部材６は、ハウジング部材２に接触する接触部６ｃを備え、該接触部６ｃの位置を変更可能であることを特徴とする。【選択図】      図３
2015212778.tif 000002
【特許請求の範囲】
【請求項１】
光源と、
前記光源から出射された光を偏向走査する偏向走査手段と、
前記偏向走査手段により偏向走査された光を被走査体に結像させる走査レンズと、
前記光源と、前記偏向走査手段と、前記走査レンズと、を内包するハウジング部材と、
前記ハウジング部材に回転可能に軸支され、前記偏向走査手段の回転中心軸部を保持する中間部材と、
を有し、
前記中間部材は、前記ハウジング部材に接触する接触部を備え、前記接触部の位置を変更可能であることを特徴とする走査光学装置。
【請求項２】
前記中間部材を前記偏向走査手段の回転方向に回転することで前記接触部の位置を変更可能であることを特徴とする請求項１に記載の走査光学装置。
【請求項３】
前記接触部が複数設けられ、該複数の接触部の前記ハウジング部材への加圧力が互いに異なることを特徴とする請求項１または請求項２に記載の走査光学装置。
【請求項４】
前記接触部が複数設けられ、該複数の接触部の弾性係数が互いに異なることを特徴とする請求項１または請求項２に記載の走査光学装置。
【請求項５】
前記中間部材は、前記接触部の位置を変更するために把持可能な調整部を備え、前記調整部は、前記ハウジング部材の前記偏向走査手段を内包する側とは逆方向に突出していることを特徴とする請求項１〜４のいずれか１項に記載の走査光学装置。
【請求項６】
前記接触部の位置の変更は、前記走査光学装置の面倒れを観測して行うことを特徴とする請求項１〜５のいずれか１項に記載の走査光学装置。
【請求項７】
請求項１〜６のいずれか１項に記載の走査光学装置と、
前記走査光学装置により画像情報に応じた光が露光されて静電潜像が形成される感光体と、
を有することを特徴とする画像形成装置。
【発明の詳細な説明】
【技術分野】
【０００１】
本発明は、レーザビームプリンタやデジタル複写機等の画像形成装置に設けられる走査光学装置に関するものである。
【背景技術】
【０００２】
画像形成装置に用いられる走査光学装置では、ポリゴンミラーを支持したスキャナモータと、走査レンズを構成する結像レンズとが、合成樹脂製のハウジング部材の内部に配置されている。また、ハウジング部材の内部には光源、入射レンズ等も配置されており、ハウジング部材の外部には感光ドラムが配置されている。そして、ハウジング部材には蓋体が被装され、ハウジング部材の上面開口部を塞いでいる。
【０００３】
この種の走査光学装置を使用した画像形成装置では、光源から出射したレーザ光束は、ポリゴンミラーに線状に集光する。ポリゴンミラーはスキャナモータの駆動力により高速度で回転し、ポリゴンミラーに入射したレーザ光束はポリゴンミラーで偏向走査され、回転ドラム上の感光体に結像して静電潜象を形成する。そして、静電潜象を現像装置によりトナー像に顕像化し、このトナー像を紙等の記録材に転写して定着装置に搬送し、記録材上のトナーを加熱定着して画像を形成する。
【０００４】
ところで、近年、画像形成装置の高精細化や高速度化に伴ってポリゴンミラーの回転速度が増加している。ポリゴンミラーの高速回転が行われると、スキャナモータの回転バランスが十分に取れていないと、結像レンズ、光源等の光学部品が必要以上に振動する場合がある。このような光学部品の振動が起こると、レーザ光束が感光体上で走査方向に対して垂直な方向（副走査方向）に振れてしまい、形成される画像にもピッチムラとなって現れ、画像劣化の原因となる。
【０００５】
そこで、特許文献１では、スキャナモータの基板の重心側やハウジング部材の重心側で、スキャナモータの軸受部とハウジング部材の保持孔を当接させている。このように当接させることで、スキャナモータの剛性を上げ、スキャナモータを駆動させることにより発生する振動がハウジング部材に必要以上に伝達されることを抑制し、光学部品が必要以上に振動しないようにしている。
【０００６】
また、特許文献２に開示されているように、同一のハウジング部材に二台のスキャナモータを備えた場合においては、スキャナモータの軸受部は、振動対象の位置までの経路が長くなるように、ハウジング部材の保持孔の特定の壁面に当接させている。
【先行技術文献】
【特許文献】
【０００７】
【特許文献１】特許第４１２６８８４号公報
【特許文献２】特開２００７−１０８５８０号公報
【発明の概要】
【発明が解決しようとする課題】
【０００８】
しかしながら、特許文献１、２では、以下の課題があった。画像形成装置は、更なる高速化、高画質化が求められている。したがって、スキャナモータがより高速回転になり、ハウジング部材の振動のレベルも増す。このため、ハウジング部材やスキャナモータの個々の製造精度のバラつきによっては、ハウジング部材の振動が画質に与える影響が無視できないものとなり、更なる高速化、高画質化を阻む虞がある。
【０００９】
本発明は前記課題を解決するものであり、その目的とするところは、偏向走査手段の回転が高速化しても画像品質を維持できる走査光学装置を提供するものである。
【課題を解決するための手段】
【００１０】
前記目的を達成するための本発明に係る走査光学装置の代表的な構成は、光源と、前記光源から出射された光を偏向走査する偏向走査手段と、前記偏向走査手段により偏向走査された光を被走査体に結像させる走査レンズと、前記光源と、前記偏向走査手段と、前記走査レンズと、を内包するハウジング部材と、前記ハウジング部材に回転可能に軸支され、前記偏向走査手段の回転中心軸部を保持する中間部材と、を有し、前記中間部材は、前記ハウジング部材に接触する接触部を備え、前記接触部の位置を変更可能であることを特徴とする。
【発明の効果】
【００１１】
上記構成によれば、偏向走査手段の回転が高速化しても画像品質を維持できる。
【図面の簡単な説明】
【００１２】
【図１】本発明に係る走査光学装置が搭載される画像形成装置の構成を示す断面説明図である。
【図２】本発明に係る走査光学装置の構成を示す平面説明図である。
【図３】図２のＡ−Ａ断面図である。
【図４】本発明に係る走査光学装置の構成を示す分解断面図である。
【図５】ハウジング部材の上面側から中間部材を見た斜視図である。
【図６】ハウジング部材の下面側から中間部材を見た底面図である。
【図７】（ａ），（ｂ）は中間部材の構成を示す斜視説明図である。
【図８】中間部材の他の構成を示す斜視説明図である。
【図９】本発明に係る走査光学装置の他の構成を示す平面説明図である。
【図１０】本発明に係る走査光学装置の他の構成においてハウジング部材の下面側から中間部材を見た斜視説明図である。
【発明を実施するための形態】
【００１３】
図により本発明に係る走査光学装置を備えた画像形成装置の一実施形態を具体的に説明する。図１は本実施形態の走査光学装置１を搭載する画像形成装置16の構成を示す断面説明図である。
【００１４】
＜画像形成装置＞
図１において、17は画像形成装置16の装置フレームに固定されるスキャナステーである。18はプロセスカートリッジである。プロセスカートリッジ18は、走査光学装置１により画像情報に応じたレーザ光束Ｌ２（光）が露光されて静電潜像が形成される感光体となる感光ドラム15を有する。更に、該感光ドラム15の表面を一様に帯電する帯電手段となる帯電ローラ24を有する。
【００１５】
更に、該帯電ローラ24により一様に帯電された感光ドラム15の表面に像露光手段となる走査光学装置１により画像情報に応じたレーザ光束Ｌ２が露光されて形成された静電潜像にトナーを供給する現像装置25を有する。現像装置25は感光ドラム15の表面に形成された静電潜像をトナー像として現像する現像手段として構成される。プロセスカートリッジ18は、これ等を一体的に備えて構成される。
【００１６】
19は給送トレイである。20は給送トレイ19上に積載された記録材である。21は給送トレイ19上に積載された記録材20を給送するピックアップローラである。22は転写手段となる転写ローラである。転写ローラ22は感光ドラム15の表面に形成されたトナー像を該感光ドラム15と、該転写ローラ22とのニップ部に搬送された記録材20に転写する。23は定着手段となる定着装置である。
【００１７】
＜画像形成プロセス＞
次に図１を用いて画像形成装置16の画像形成プロセスについて説明する。先ず、図１に示す感光ドラム15が帯電ローラ24によって一様に帯電される。次に画像形成装置16の装置フレームに設けられたスキャナステー17上の走査光学装置１によって感光ドラム15の表面が画像情報に応じたレーザ光束Ｌ２により露光されて静電潜像が形成される。感光ドラム15の表面に形成された静電潜像に対して現像装置25によってトナーが供給される。これにより感光ドラム15の表面にトナー像として現像される。
【００１８】
このトナー像の形成過程とタイミングを合わせて給送トレイ19上に積載された記録材20がピックアップローラ21によって給送される。そして、図１の破線で示す搬送路Ｐを通って転写ローラ22と感光ドラム15との転写ニップ部に至る。転写ローラ22に転写バイアス電圧が印加されることで感光ドラム15の表面上に形成されたトナー像が記録材20上に転写される。その後、トナー像が転写された記録材20は定着装置23によって加熱及び加圧されてトナー像が記録材20上に定着される。その後、トナー像が定着された記録材20は装置外に排出される。
【００１９】
＜走査光学装置＞
次に図２及び図３を用いて走査光学装置１の構成について説明する。図２は走査光学装置１の内部構成を示す平面説明図である。図３は図２のＡ−Ａ断面図である。図２において、走査光学装置１は、光源７と、該光源７から出射されたレーザ光束Ｌ１（光）を偏向走査する偏向走査手段となるスキャナモータ９を有する。
【００２０】
更に、該スキャナモータ９により偏向走査されたレーザ光束Ｌ２（光）を被走査体となる感光ドラム15の表面に結像させる走査レンズ３，４を有する。更に、光源７と、スキャナモータ９と、走査レンズ３，４と、を内包するハウジング部材２とを有する。ハウジング部材２は、更に、入射レンズ８と、ポリゴンミラー10と、反射ミラー12等も内包している。ハウジング部材２の上部は、図３に示す蓋体13により覆われている。
【００２１】
図２に示すように、光源７は、レーザ光束Ｌ１を出射する。このレーザ光束Ｌ１は入射レンズ８によって主走査方向には略平行な光束、副走査方向にはポリゴンミラー10の反射面５上で収束する光束に変換される。ポリゴンミラー10はスキャナモータ９によって回転駆動され、レーザ光束Ｌ１を主走査方向に偏向走査してレーザ光束Ｌ２に変換する。
【００２２】
このレーザ光束Ｌ２は走査レンズ３，４を通過する。その後、反射ミラー12によって方向を変えられてハウジング部材２の底板２ｂを貫通する出射口11を通過して走査光学装置１の外部に設けられた感光ドラム15の表面上に結像して走査される。これにより帯電ローラ24によって一様に帯電された感光ドラム15の表面に静電潜像を形成する。
【００２３】
＜中間部材＞
次に図３〜図７を用いて本実施形態の特徴的な構成である中間部材６の構成について説明する。図３及び図４に示すように、ハウジング部材２の底板２ｂには、円形の貫通孔からなる保持孔２ａが設けられている。図３に示すように、中間部材６は、ハウジング部材２の底板２ｂに設けられた保持孔２ａに嵌入されて回転可能に軸支され、スキャナモータ９の回転中心軸部９ｂを保持する。
【００２４】
中間部材６は、ハウジング部材２の底板２ｂに設けられた保持孔２ａ内（保持孔内）で回転可能に軸支され、該保持孔２ａの壁面２ａ1に対して接触する接触部６ｃを備え、該接触部６ｃの位置を変更可能である。中間部材６をスキャナモータ９の回転方向に回転することで該接触部６ｃの位置を変更可能である。中間部材６は該接触部６ｃの位置を変更するために把持可能な調整部６ｅを有する。
【００２５】
図３は走査光学装置１のハウジング部材２の底板２ｂを貫通して設けられた保持孔２ａ内に中間部材６が取り付けられた状態を示す。図５はハウジング部材２の底板２ｂを貫通して設けられた保持孔２ａ内に中間部材６のみを取り付けた様子を示す斜視図である。図７（ａ）は中間部材６を上方から見た斜視図である。図７（ｂ）は中間部材６を下方から見た斜視図である。
【００２６】
図７（ａ）に示すように、中間部材６の円盤状のフランジ部６ｂの中央部には、スキャナモータ９の回転中心軸部９ｂが回転自在に嵌合する貫通孔からなる軸孔６ａが設けられている。図７（ｂ）に示すように、フランジ部６ｂの中央部を貫通する軸孔６ａの外周で、且つフランジ部６ｂの片面には円筒形状の筒状部６ｆが突設されている。フランジ部６ｂの片面側で筒状部６ｆの外周には、軸孔６ａを中心に１２０度ずつずれた位置に接触部６ｃが立設されている。本実施形態の接触部６ｃは複数（三つ）設けられ、該複数（三つ）の接触部６ｃの保持孔２ａの壁面２ａ1に対する加圧力が互いに異なるように設定されている。
【００２７】
筒状部６ｆの軸方向（図４の上下方向）の端面６ｆ1の一部には調整部６ｅが突設されている。図３に示すように、調整部６ｅは、ハウジング部材２のスキャナモータ９を内包する側（図３の上方側）とは逆方向（図３の下方向）に突出している。
【００２８】
図４に示すように、中間部材６のフランジ部６ｂの外径直径ｃは、ハウジング部材２の底板２ｂを貫通して設けられた保持孔２ａの直径ｂよりも大きく設定されている。これにより図３に示すように、中間部材６をハウジング部材２の底板２ｂを貫通して設けられた保持孔２ａ内に挿入して装着した際に中間部材６のフランジ部６ｂによりハウジング部材２の底板２ｂを貫通して設けられた保持孔２ａを覆う。
【００２９】
中間部材６は、ハウジング部材２の底板２ｂを貫通して設けられた保持孔２ａを覆うフランジ部６ｂと、保持孔２ａ内に挿通され、該保持孔２ａの壁面２ａ1と接触する円弧面６ｄを有する接触部６ｃとを有する。更に、後述する調整操作の際に調整工具等により保持（把持）し、スキャナモータ９の回転中心軸部９ｂの図６の矢印Ｂ方向で示す回転方向に回転させて中間部材６の姿勢位置を調整する調整部６ｅとを有して構成されている。
【００３０】
また、図６及び図７（ｂ）に示すように、本実施形態における中間部材６の接触部６ｃは、軸孔６ａと同軸方向にフランジ部６ｂから立設されて複数箇所（本実施形態では三箇所）に設けられている。接触部６ｃは、軸孔６ａの軸中心方向に弾性変形可能に構成されており、三つのそれぞれの接触部６ｃの弾性係数（応力に応じたひずみの変化率）が互いに異なるように設定されている。
【００３１】
これによりハウジング部材２の底板２ｂを貫通して設けられた保持孔２ａの壁面２ａ1に対するそれぞれの接触部６ｃの加圧力が互いに異なる。接触部６ｃの外周面には、ハウジング部材２の底板２ｂを貫通して設けられた保持孔２ａの壁面２ａ1との接触面として軸孔６ａと同軸方向に配置される円弧面６ｄが形成されている。
【００３２】
図３に示すように、スキャナモータ９の回転中心軸部９ｂは、中間部材６を介してハウジング部材２の底板２ｂを貫通して設けられた保持孔２ａに取り付けられ、該中間部材６の調整部６ｅは、ハウジング部材２の底板２ｂの外側に突出している。また、図５に示すように、ハウジング部材２の底板２ｂを貫通して設けられた保持孔２ａに中間部材６が取り付けられた状態においては、ハウジング部材２の底板２ｂを貫通して設けられた保持孔２ａは中間部材６のフランジ部６ｂにより覆われている。
【００３３】
＜組立工程＞
次に図４を用いてハウジング部材２への中間部材６及びスキャナモータ９の取り付けについて説明する。図４に示すように、先ず、中間部材６の接触部６ｃを軸孔６ａの軸中心方向に弾性変形させつつハウジング部材２の底板２ｂを貫通して設けられた保持孔２ａ内に挿入してフランジ部６ｂが保持孔２ａを覆って底板２ｂの上面に当接するまで挿通する。
【００３４】
その際、図４に示すように、中間部材６の接触部６ｃの外周面からなる円弧面６ｄの外径直径ａは、ハウジング部材２の底板２ｂを貫通して設けられた保持孔２ａの直径ｂよりも僅かに大きく設定している。このため接触部６ｃは、円弧面６ｄを保持孔２ａの壁面２ａ1に接触させつつ軸孔６ａの軸中心に向かって撓みながら挿通される。
【００３５】
その後、スキャナモータ９の回転中心軸部９ｂを中間部材６の軸孔６ａ内に嵌合させ、図示しないビス等の締結部材によりスキャナモータ９をハウジング部材２に締結固定する。また、フランジ部６ｂの外径直径ｃは、ハウジング部材２の底板２ｂを貫通して設けられた保持孔２ａの直径ｂよりも大きく設定している。このため中間部材６が保持孔２ａから落下することはない。
【００３６】
＜調整操作＞
次に図３及び図６を用いて中間部材６の調整操作について説明する。図６はハウジング部材２の底板２ｂを貫通して設けられた保持孔２ａを該ハウジング部材２の底板２ｂの外側となる裏面側から見た図である。
【００３７】
先ず、図６に示す状態において、中間部材６のフランジ部６ｂの三箇所に立設された接触部６ｃの円弧面６ｄは、ハウジング部材２の底板２ｂを貫通して設けられた保持孔２ａの壁面２ａ1に対して軸孔６ａを中心に回転自在に接触している。
【００３８】
図４に示すように、中間部材６のフランジ部６ｂに立設された接触部６ｃの円弧面６ｄの外径直径ａは、ハウジング部材２の底板２ｂを貫通して設けられた保持孔２ａの直径ｂよりも僅かに大きい。このため中間部材６のフランジ部６ｂに立設された接触部６ｃの円弧面６ｄは、ハウジング部材２の底板２ｂを貫通して設けられた保持孔２ａの壁面２ａ1を互いに異なる弾性係数を有して構成された各接触部６ｃの弾性力によりそれぞれ加圧している。これにより中間部材６のフランジ部６ｂに立設された接触部６ｃの円弧面６ｄと、ハウジング部材２の底板２ｂを貫通して設けられた保持孔２ａの壁面２ａ1とは確実に接触している。
【００３９】
また、複数設けられた接触部６ｃの加圧力のバランスを崩してある。このため中間部材６は、各接触部６ｃの互いに異なる加圧力により中立することはなく、接触部６ｃの加圧力の弱い特定の方向に寄ろうとする。このためスキャナモータ９の回転中心軸部９ｂと中間部材６の軸孔６ａの壁面も確実に接触する。
【００４０】
中間部材６の姿勢位置の調整時においては、走査光学装置１の組立工程において、図３に示す感光ドラム15の表面に対応する位置に図示しないＣＣＤ（Charge Coupled Device；電荷結合デバイス）ラインセンサを配置する。ポリゴンミラー10を回転させながら光源７を発光し、ポリゴンミラー10の各反射面でレーザ光束Ｌ２を形成し、ＣＣＤラインセンサで検知する。そして、ＣＣＤラインセンサの検知結果に基づいて、走査光学装置１から出射された各反射面に対応する複数のレーザ光束Ｌ２の副走査方向位置の最大値と最小値との差を観測（モニタ）する。
【００４１】
この複数のレーザ光束Ｌ２の副走査方向位置のバラつきは、感光ドラム15上での走査線間のピッチのバラつきに相当し、ポリゴンミラー10の各反射面の角度が一定でないことに起因し、「面倒れ」と呼ばれている。この「面倒れ」は、副走査方向における画像の濃淡ムラやモアレ（moire；干渉縞）の原因となる。
【００４２】
この「面倒れ」は、ポリゴンミラー10の各反射面の成型精度と、スキャナモータ９、ハウジング部材２に支持された反射ミラー12や走査レンズ３，４等の振動により発生する。本実施形態では、中間部材６の位置を調整することで、スキャナモータ９、ハウジング部材２に支持された反射ミラー12や走査レンズ３，４等の振動を抑制する。中間部材６の接触部６ｃの位置の変更は、スキャナモータ９の面倒れを観測して行なう。
【００４３】
そこで、図示しない調整工具等により中間部材６の調整部６ｅを把持して該中間部材６をスキャナモータ９の回転中心軸部９ｂの中心軸９ａを中心に図３及び図６の矢印Ｂ方向に回転させて中間部材６の姿勢位置を調整する。調整部６ｅを把持して中間部材６を回す過程において、接触部６ｃの外周面からなる円弧面６ｄと、保持孔２ａの壁面２ａ1との接触箇所も変化する。
【００４４】
本実施形態では、図６に示すように、中間部材６のフランジ部６ｂから立設された接触部６ｃを、該フランジ部６ｂの円周上で軸孔６ａを中心に均等に１２０度ずつずれた位置に三箇所設けている。このため中間部材６を保持孔２ａ内で軸孔６ａを中心に回転させてレーザ光束Ｌ２の副走査方向位置の最大値と最小値との差である面倒れ値が最小となる中間部材６の姿勢位置で該中間部材６を紫外線硬化型の接着剤等を用いて接着固定する。
【００４５】
本実施形態では、中間部材６のフランジ部６ｂから立設された接触部６ｃを該フランジ部６ｂの円周上で軸孔６ａを中心に均等に１２０度ずつずれた三箇所の位置に設けた。他に図８に示すように、中間部材６のフランジ部６ｂから立設された接触部６ｃを該フランジ部６ｂの円周上で軸孔６ａを中心に互いに対向する二箇所の位置に設けても良い。
【００４６】
本実施形態によれば、スキャナモータ９の回転中心軸部９ｂと、ハウジング部材２の底板２ｂを貫通して設けられた保持孔２ａとの間に該保持孔２ａ内で軸孔６ａを中心に回転して移動可能な中間部材６を設けた。そして中間部材６の位置を調整することにより、スキャナモータ９の回転により発生する振動が回転中心軸部９ｂから中間部材６を介して保持孔２ａに伝わってハウジング部材が振動する際の振動状態を、個々の走査光学装置１に合わせて変えることが可能になる。このためスキャナモータ９の更なる高速化においても良質な画像を得ることができる。
【００４７】
また、ハウジング部材２の底板２ｂを貫通して設けられた保持孔２ａも中間部材６のフランジ部６ｂにより覆われる。このため画像劣化の原因となる走査光学装置１の外部からの塵埃や紙粉の侵入を防ぐことができる。このため、スキャナモータ９がより高速回転になって走査光学装置１内の内圧がより下がっても、中間部材６とハウジング部材２の保持孔２ａとの隙間から塵埃や紙粉を走査光学装置１内に吸い込み難い。従って、塵埃や紙粉が光学部品に付着してスジ等の画像劣化が発生することを抑制できる。
【００４８】
また、図３に示すように、中間部材６の筒状部６ｆの端面６ｆ1から突出した調整部６ｅがハウジング部材２の底板２ｂよりも外部に突出している。このため調整工具等により該調整部６ｅを容易に把持できる。このため調整工具等も複雑にならず、短時間での調整が可能となる。
【００４９】
本実施形態では、ハウジング部材２内に一つのスキャナモータ９を具備するものを例示した。しかし、他の構成として、図９及び図10に示すように、ハウジング部材14内に複数（二つ）のスキャナモータ９を具備した走査光学装置１においても有効である。図９は他の走査光学装置１の構成を示す平面説明図である。図10は他の走査光学装置１をハウジング部材14の底面14ｂ側から見た斜視説明図である。図中、14ａはハウジング部材14の底面14ｂを貫通して設けられた保持孔である。他の構成は、前記実施形態と同様に構成され、同様の効果を得ることが出来る。
【００５０】
また、本実施形態では、中間部材６の軸孔６ａにはスキャナモータ９の回転中心軸部９ｂが回転自在に嵌合する構成とした。しかし、回転中心軸部９ｂがスキャナモータ９の回転軸部を回転自在に支持する軸受部として構成しても良い。
【００５１】
本実施形態によれば、スキャナモータ９の更なる高速化の際にも個々の走査光学装置１の個別の状態に応じて、ハウジング部材２の底板２ｂを貫通して設けられた保持孔２ａに対する中間部材６の姿勢位置を調整する。これにより該中間部材６のフランジ部６ｂに立設された接触部６ｃの円弧面６ｄと、ハウジング部材２の底板２ｂを貫通して設けられた保持孔２ａの壁面２ａ1との最適な接触箇所を選択することが出来る。
【００５２】
このため高速回転するスキャナモータ９の振動による画像劣化を改善でき、スキャナモータ９の更なる高速化においても、画像品質を高く維持できる走査光学装置１を提供出来る。
【符号の説明】
【００５３】
２    …ハウジング部材
２ａ  …保持孔
２ａ1 …壁面
３，４ …走査レンズ
６    …中間部材
６ｃ  …接触部
６ｅ  …調整部
７    …光源
９    …スキャナモータ(偏向走査手段)
９ｂ  …回転中心軸部
【図１】
2015212778.tif 000003
【図２】
2015212778.tif 000004
【図３】
2015212778.tif 000005
【図４】
2015212778.tif 000006
【図５】
2015212778.tif 000007
【図６】
2015212778.tif 000008
【図７】
2015212778.tif 000009
【図８】
2015212778.tif 000010
【図９】
2015212778.tif 000011
【図１０】
2015212778.tif 000012